(57)【要約】  第１デバイスは、電池、第１コネクタ、受電モジュール、検出モジュール及び通信モジュールを備える。第１コネクタは、１つの電源ピン、１つのグランドピン、２つの送信ピン及び２つの受信ピンを有し、第１デバイスを第２デバイスに接続する。充電モジュールは、電池を充電するべく、１つの電源ピン及び１つのグランドピンを介して第２デバイスから電力の供給を受け、１つの電源ピン及び１つのグランドピンを介して電池から第２デバイスへと電力を供給する。検出モジュールは、第１コネクタの電源ピン及びグランドピンを検出し、検出結果に基づいて、第１デバイスが（ｉ）第１コネクタを介して第２デバイスと接続されたか、及び、（ｉｉ）第２デバイスとの接続が解除されたかを検出する。通信モジュールは、ＰＣＩｅプロトコルを使用して２つの送信ピン及び２つの受信ピンを介して、第２デバイスと通信を行う。【選択図】図２
2013543609.tif 000002
【特許請求の範囲】
【請求項１】
電池と、
第１デバイスを第２デバイスに接続し、１つの電源ピン、１つのグランドピン、２つの送信ピン及び２つの受信ピンを有する第１コネクタと、
前記電池を充電するべく、前記１つの電源ピン及び前記１つのグランドピンを介して前記第２デバイスから電力の供給を受け、前記１つの電源ピン及び前記１つのグランドピンを介して前記電池から前記第２デバイスへと電力を供給する充電モジュールと、
前記第１コネクタの前記１つの電源ピン及び前記１つのグランドピンを検出し、検出結果に基づいて、前記第１デバイスが（ｉ）前記第１コネクタを介して前記第２デバイスと接続されたか、及び、（ｉｉ）前記第２デバイスとの接続が解除されたかを検出する検出モジュールと、
ペリフェラル・インターコネクト・エクスプレス・プロトコルを使用して前記２つの送信ピンを介して、データを前記第２デバイスに送信し、前記ペリフェラル・インターコネクト・エクスプレス・プロトコルを使用して前記２つの受信ピンを介して、データを前記第２デバイスから受信する通信モジュールとを備える第１デバイス。
【請求項２】
前記第１コネクタは、
前記１つの電源ピン、前記１つのグランドピン、前記２つの送信ピン及び前記２つの受信ピンで構成されている請求項１に記載の第１デバイス。
【請求項３】
前記通信モジュールは、全二重通信モードでデータを送受信する請求項１又は２に記載の第１デバイス。
【請求項４】
請求項１に記載の前記第１デバイスと、
前記第２デバイスとを備え、
前記第２デバイスは、前記第１デバイスの前記第１コネクタと接続される第２コネクタを有し、
前記第２デバイスは、ドッキングステーション、充電ステーション又はラップトップコンピュータを含むシステム。
【請求項５】
６つの導体で構成されているケーブルを更に備え、
前記ケーブルは、前記第１デバイスの前記第１コネクタに接続される第３コネクタ、及び、前記第２デバイスの前記第２コネクタに接続される第４コネクタを有し、
前記検出モジュールは更に、前記検出に基づいて、（ｉ）前記ケーブルを介して第１デバイスが前記第２デバイスに接続されたか、及び、（ｉｉ）前記ケーブルの前記第３コネクタと前記第１デバイスの前記第１コネクタとの接続が解除されたか、又は、前記ケーブルの前記第４コネクタと前記第２デバイスの前記第２コネクタとの接続が解除されたかを検出する請求項４に記載のシステム。
【請求項６】
電池と、
第１デバイスを第２デバイスに接続し、２つの送信ピン及び２つの受信ピンを有する第１コネクタと、
前記電池を充電するべく、前記２つの送信ピン及び前記２つの受信ピンのうちの１以上を介して前記第２デバイスから電力の供給を受け、前記２つの送信ピン及び前記２つの受信ピンのうちの１以上を介して前記電池から前記第２デバイスへと電力を供給する充電モジュールと、
前記２つの送信ピンを介して前記第２デバイスにデータを送信し、前記２つの受信ピンを介して前記第２デバイスからデータを受信する通信モジュールとを備え、
前記２つの送信ピン及び前記２つの受信ピンのうちの前記１以上でデータ通信が行われない時に、電力の供給を受ける又は電力を供給する第１デバイス。
【請求項７】
前記第１コネクタは、
前記２つの送信ピン及び前記２つの受信ピンで構成されている請求項６に記載の第１デバイス。
【請求項８】
前記通信モジュールは更に、
ペリフェラル・インターコネクト・エクスプレス・プロトコルを使用して前記２つの送信ピンを介して、データを前記第２デバイスに送信する送信モジュールと、
前記ペリフェラル・インターコネクト・エクスプレス・プロトコルを使用して前記２つの受信ピンを介して、データを前記第２デバイスから受信する受信モジュールとを有する請求項６又は７に記載の第１デバイス。
【請求項９】
前記送信モジュール及び前記受信モジュールは、全二重通信モードでデータを送受信する請求項８に記載の第１デバイス。
【請求項１０】
請求項６に記載の前記第１デバイスと、
前記第２デバイスとを備え、
前記第２デバイスは、前記第１デバイスの前記第１コネクタと接続される第２コネクタを有し、
前記第２デバイスは、前記第１デバイスによって実行されるアプリケーションの機能を拡張するシステム。
【請求項１１】
前記第２デバイスは、ドッキングステーション、充電ステーション又はラップトップコンピュータを含む請求項１０に記載のシステム。
【請求項１２】
４つの導体で構成されているケーブルを更に備え、
前記ケーブルは、前記第１デバイスの前記第１コネクタに接続される第３コネクタ、及び、前記第２デバイスの前記第２コネクタに接続される第４コネクタを有する請求項１０又は１１に記載のシステム。
【請求項１３】
第１コネクタを有する第１デバイスと、
第２コネクタを有する第２デバイスとを備え、
前記第１コネクタ及び前記第２コネクタはそれぞれ、２つの送信ピン及び２つの受信ピンで構成され、
前記第１デバイスが、前記第１コネクタ及び前記第２コネクタを介して前記第２デバイスに接続されると、前記第１デバイスは、
前記第１デバイスの電池を充電するべく、前記第１コネクタの前記２つの送信ピン及び前記２つの受信ピンのうちの１以上を介して前記第２デバイスから電力の供給を受け、前記第１コネクタの前記２つの送信ピン及び前記２つの受信ピンのうちの前記１以上を介して前記第２デバイスへと電力を供給し、前記第１コネクタの前記２つの送信ピンを介して前記第２デバイスへとデータを送信し、前記第１コネクタの前記２つの受信ピンを介して前記第２デバイスからデータを受信し、
前記２つの送信ピン及び前記２つの受信ピンのうちの前記１以上でデータ通信が行われない時に、電力の供給を受ける又は電力を供給するシステム。
【請求項１４】
前記第１デバイスは更に、
ペリフェラル・インターコネクト・エクスプレス・プロトコルを使用して前記２つの送信ピンを介して、データを前記第２デバイスに送信し、
前記ペリフェラル・インターコネクト・エクスプレス・プロトコルを使用して前記２つの受信ピンを介して、データを前記第２デバイスから受信し、
全二重通信モードでデータを送受信する請求項１３に記載のシステム。
【請求項１５】
前記第２デバイスは、前記第１デバイスによって実行されるアプリケーションの機能を拡張する請求項１３又は１４に記載のシステム。
【請求項１６】
前記第１デバイスは、移動体デバイスを含み、
前記第２デバイスは、ドッキングステーション、充電ステーション又はラップトップコンピュータを含む請求項１３から１５の何れか一項に記載のシステム。
【請求項１７】
４つの導体で構成されているケーブルを更に備え、
前記ケーブルは、前記第１デバイスの前記第１コネクタに接続される第３コネクタ、及び、前記第２デバイスの前記第２コネクタに接続される第４コネクタを有する請求項１３から１６の何れか一項に記載のシステム。
【発明の詳細な説明】
【技術分野】
【０００１】
本開示は、概して、移動体デバイスに関し、より詳細には、移動体デバイスのインターフェース及び装置に関する。
【０００２】
［関連出願］
本開示は、２０１１年８月２４日出願の第13/216,491号、及び、２０１０年８月２４日出願の米国仮出願61/376,609号の優先権を主張するものであり、前記出願の内容は、参照により本明細書に組み込まれる。
【背景技術】
【０００３】
本発明の理解するための背景を、一般的に説明することを目的として、背景技術を説明する。以下、背景技術の章において説明される範囲及び出願時には従来技術として認められていない側面の範囲において、本願発明者の仕事は、本開示に対して明示的に又は非明示的にも、従来技術であるとは認めていない。
【０００４】
移動体デバイス（例えば、携帯電話、ノートブックコンピュータ、タブレット等）は、一般的に、小型であり、電池による電力の供給を受ける。これらデバイスは、物理的なサイズ、重量及びバッテリーの容量の制約が存在することから、組み込むことが可能な入出力インターフェース及びネットワークデバイスの数は通常、限られている。
【発明の概要】
【０００５】
第１デバイスは、電池、第１コネクタ、充電モジュール、検出モジュール及び通信モジュールを備える。第１コネクタは、第１デバイスを第２デバイスに接続するように構成される。第１コネクタは、１つの電源ピン、１つのグランドピン、２つの送信ピン及び２つの受信ピンを有する。充電モジュールは、電池を充電するべく、１つの電源ピン及び１つのグランドピンを介して第２デバイスから電力の供給を受け、１つの電源ピン及び１つのグランドピンを介して電池から第２デバイスへと電力を供給する。検出モジュールは、第１コネクタの電源ピン及びグランドピンを検出し、検出結果に基づいて、第１デバイスが（ｉ）第１コネクタを介して第２デバイスと接続されたか、及び、（ｉｉ）第２デバイスとの接続が解除されたかを検出する。通信モジュールは、ペリフェラル・インターコネクト・エクスプレス・プロトコルを使用して２つの送信ピンを介して、データを第２デバイスに送信し、ペリフェラル・インターコネクト・エクスプレス・プロトコルを使用して２つの受信ピンを介して、データを第２デバイスから受信する。
【０００６】
第１デバイスは、電池、第１コネクタ、充電モジュール及び通信モジュールを備える。第１コネクタは、第１デバイスを第２デバイスに接続するように構成される。第１コネクタは、１つの電源ピン、１つのグランドピン、２つの送信ピン及び２つの受信ピンを有する。充電モジュールは、電池を充電するべく、１つの電源ピン及び１つのグランドピンを介して第２デバイスから電力の供給を受け、１つの電源ピン及び１つのグランドピンを介して電池から第２デバイスへと電力を供給する。通信モジュールは、２つの送信ピンを介して第２デバイスにデータを送信し、２つの受信ピンを介して第２デバイスからデータを受信する。
【０００７】
システムは、第１コネクタを有する第１デバイス、及び、第２コネクタを有する第２デバイスを備える。第１コネクタ及び第２コネクタはそれぞれ、１つの電源ピン、１つのグランドピン、２つの送信ピン及び２つの受信ピンによって構成される。第１デバイスが、第１コネクタ及び第２コネクタを介して第２デバイスに接続されると、第１デバイスは、第１デバイスの電池を充電するべく、第１コネクタの電源ピン及びグランドピンを介して第２デバイスから電力の供給を受け、第１コネクタの電源ピン及びグランドピンを介して第２デバイスへと電力を供給し、第１コネクタの２つの送信ピンを介して第２デバイスへとデータを送信し、第１コネクタの２つの受信ピンを介して第２デバイスからデータを受信する。
【０００８】
本開示の更なる適用領域は、以下の詳細な説明、添付の特許請求の範囲及び図面から明らかとなるであろう。詳細な説明及び具体的な例は、例示のみを目的としており、本開示の範囲を限定することを意図していない。
【０００９】
本開示の内容は、以下の詳細な説明及び添付の図面から完全に理解されるであろう。
【図面の簡単な説明】
【００１０】
【図１】本開示に係る、コネクタを介して接続される移動体デバイス及びリモートデバイスを備えるシステムの機能ブロック図である。
【図２】本開示に係る移動体デバイスの物理層（ＰＨＹ）モジュール及びコネクタの機能ブロック図である。
【図３Ａ】本開示に係る送信モジュールの機能ブロック図である。
【図３Ｂ】本開示に係る受信モジュールの機能ブロック図である。
【図４Ａ】本開示に係るコネクタの構成を示した図である。
【図４Ｂ】本開示に係るコネクタの異なる構成を示した図である。
【図４Ｃ】本開示に係るコネクタの異なる構成を示した図である。
【発明を実施するための形態】
【００１１】
数多くの移動体デバイスを、コネクタを介して充電ステーション又はドッキングステーションに接続することができる。典型的なコネクタとして、ユニバーサルシリアルバス（ＵＳＢ）コネクタ、又は、パーソナルコンピュータ・メモリカード・インターナショナルアソシエーション（ＰＣＭＣＩＡ）コネクタが挙げられる。コネクタを使用して移動体デバイスが充電ステーションに接続されると、移動体デバイスを充電させることができる。更に、コネクタを使用して、移動体デバイスをドッキングステーションに接続して、移動体デバイスの機能を拡張することができる。
【００１２】
本開示は、移動体デバイスを、充電ステーション、ドッキングステーション等を含む様々なデバイスに接続するための、少ない数のピン（"少数ピンコネクタ"とも称される）を有するコネクタを含む、移動体デバイスのためのインターフェースに関する。少数ピンコネクタは、移動体デバイスの電池を充電するのに利用することができる。更に、移動体デバイスは、少数ピンコネクタを使用して、リモートデバイスと通信を行うことができる。一実施形態では、少数ピンコネクタは、以下に詳細に説明するような機能の全てを提供するのに、最大で６つのピンを備える。別の実施形態では、少数ピンコネクタは、以下に詳細に説明するように、少なくとも６つのピンを備える。
【００１３】
一実施形態において、コネクタは、少なくとも２つの電源ピン、２つの送信ピン及び２つの受信ピンを備える。２つの電源ピンは、電源ピン（例えば、Ｖｃｃ）及びグランドピン（例えば、ＧＮＤ）を含む。２つの送信ピンは、差動送信ピンＴＸ＋及びＴＸ−を含む。２つの受信ピンは、差動受信ピンＲＸ＋及びＲＸ−を含む。
【００１４】
コネクタを使用することにより、充電ステーション、ドッキングステーション、ラップトップコンピュータ等を含むリモートデバイスに移動体デバイスを接続することができる。移動体デバイスが、コネクタを介して充電ステーションに接続されると、移動体デバイスは、２つの電源ピン（Ｖｃｃ及びＧＮＤ）を介して充電ステーションから電力を受けることができ、移動体デバイスの電池を充電することができる。ある実装形態では、移動体デバイスがコネクタを介してリモートデバイスに接続されると、移動体デバイスは、移動体デバイスの電池からリモートデバイスへと２つの電源ピン（Ｖｃｃ及びＧＮＤ）を介して電源を供給することができる。
【００１５】
更に、以下に詳細に説明するように、移動体デバイス及び／又はリモートデバイスは、コネクタの２つの電源ピン（Ｖｃｃ及びＧＮＤ）を検出することにより、移動体デバイスとリモートデバイスの間の接続及び非接続状態を検出することができる。このように、移動体デバイス及び／又はリモートデバイスは、他の更なるピンを使用することなく、移動体デバイスとリモートデバイスの間の接続及び非接続状態を検出することができる。
【００１６】
移動体デバイスは、以下に説明するように、コネクタを介してリモートデバイスと通信を行うことができる。移動体デバイスは、ペリフェラル・インターコネクト・エクスプレス（ＰＣＩｅ）プロトコルを使用して、２つの送信ピン（ＴＸ＋及びＴＸ−）を介してリモートデバイスにデータを送信することができる。更に、移動体デバイスは、ＰＣＩｅプロトコルを使用して、２つの受信ピン（ＲＸ＋及びＲＸ−）を介して、リモートデバイスからデータを受信することができる。移動体デバイス及びリモートデバイスは、ＰＣＩｅプロトコルを使用して、２つの送信ピン（ＴＸ＋及びＴＸ−）及び２つの受信ピン（ＲＸ＋及びＲＸ−）を介して、全二重通信モード（full duplex mode）で通信を行うことができる。
【００１７】
一実施形態において、コネクタは、上記で説明したような２つの送信ピン及び２つ受信ピンのみを含む。このような実施形態では、移動体デバイスは、２つの送信ピン及び２つの受信ピンのうちの１以上を介して電力の供給を受ける（又は電源を供給）することができる。一実施形態において、１以上のピンにおいて通信が発生していない期間に電力の供給を受ける又は供給する。
【００１８】
図１には、移動体デバイス１０２及びリモートデバイス１０４を備えるシステム１００が示されている。移動体デバイス１０２は、無線ネットワークを介して通信を行うことができる。例えば、移動体デバイス１０２は、セルラーネットワークで通信を行うことが出来る携帯電話である。移動体デバイス１０２は、無線ネットワーク（例えば、ＷｉＦｉネットワーク）及び場合によってはセルラーネットワークで通信を行うことが出来るネットワークデバイス（例えば、クライアント局）であってもよい。移動体デバイス１０２は、無線ネットワークで通信を行うことが出来るタブレットであってもよい。
【００１９】
リモートデバイス１０４は、充電ステーション、ドッキングステーション、ラップトップコンピュータ、ＭＰ３プレーヤ等であってもよい。移動体デバイス１０２は、コンセントにプラグを差し込むアダプタを使用して電源を得ることができる。また、移動体デバイスは、電池１０６から電源を得ることができる。移動体デバイス１０４はまた、コンセントにプラグを差し込むアダプタを使用して及び／又は電池１０８を使用して、電源を得てもよい。
【００２０】
移動体デバイス１０２は、媒体アクセス制御（ＭＡＣ）モジュール１１０、物理層（ＰＨＹ）モジュール１１２及びコネクタ１１４を有する。リモートデバイス１０４は、コネクタ１０６及びＰＨＹモジュール１１８を有する。リモートデバイス１０４のコネクタ１１６は、移動体デバイスのコネクタ１１４と同様なものである。
【００２１】
移動体デバイス１０２のコネクタ１１４は、リモートデバイス１０４のコネクタ１１６と接続される。例えば、コネクタ１１４は、オス型コネクタであってもよく、コネクタ１１６は、メス型コネクタであってもよい。または、この反対であってもよい。これに替えて、コネクタ１１４、１１６は、エッジ型のオス／メス型コネクタで等であってもよい。
【００２２】
ＭＡＣモジュール１１０は、移動体デバイス１０２のネットワーク媒体（例えば、無線）へのアクセスを制御する。ＰＨＹモジュール１１２は、移動体デバイス１０２をネットワーク媒体へとインターフェース接続する。例えば、ＰＨＹモジュール１１２は、移動体デバイス１０２を１以上のネットワークへとインターフェース接続する、好適なネットワークインターフェース（例えば、セルラーネットワークインターフェース、ＷｉＦｉネットワークインターフェース等（図示せず））を含む。移動体デバイス１０２は、１以上のアンテナ（図示せず）を備えてもよい。
【００２３】
ＰＨＹモジュール１１２は、コネクタ１１４に接続される。移動体デバイス１０２のコネクタ１１４が、リモートデバイス１０４のコネクタ１１６と接続されると、ＰＨＹモジュール１１２は、コネクタ１１４、１１６を介してリモートデバイス１０４から電力の供給を受けることができ、移動体デバイス１０２の電池１０６を充電することができる。反対に、ＰＨＹモジュール１１２は、コネクタ１１４、１１６を介して、移動体デバイス１０２の電池１０６からリモートデバイス１０４へと電力を供給することもできる。リモートデバイス１０４は、移動体デバイス１０２から受け取った電力を利用して、リモートデバイス１０４の電池１０８を充電することができる。
【００２４】
更に、移動体デバイス１０２がリモートデバイス１０４と接続されると、移動体デバイス１０２及びリモートデバイス１０４は、コネクタ１１４、１１６を介して通信を行うことができる。特に、ＰＨＹモジュール１１２は、コネクタ１１４、１１６を介して、リモートデバイス１０４にデータを送信することができる。更に、ＰＨＹモジュール１１２は、コネクタ１１４、１１６を介して、リモートデバイス１０４からデータを受信することができる。ＰＨＹモジュール１１２は、ペリフェラル・インターコネクト・エクスプレス（ＰＣＩｅ）プロトコルを使用して、データの送受信を行う。
【００２５】
リモートデバイス１０４のＰＨＹモジュール１１８は、リモートデバイス１０４のコネクタ１１６に接続されている。ＰＨＹモジュール１１８は、リモートデバイス１０４をコネクタ１１６へとインターフェース接続する。リモートデバイス１０４のＰＨＹモジュール１１８は、移動体デバイス１０２のＰＨＹモジュール１１２と同様な態様で動作する。
【００２６】
図２には、ＰＨＹモジュール１１２及び移動体デバイス１０２のコネクタ１１４が詳細に示されている。ＰＨＹモジュール１１８及びリモートデバイス１０４のコネクタ１１６は、移動体デバイス１０２のコネクタ１１４と同一である。一実施形態において、移動体デバイスのコネクタ１１４は、２つの電源ピンＶｃｃ及びＧＮＤ、２つの送信ピンＴＸ＋及びＴＸ−、及び、２つの受信ピンＲＸ＋及びＲＸ−のみを有する。
【００２７】
ＰＨＹモジュール１１２は、充電モジュール１５０、通信モジュール１５２及び検出モジュール１５４を有する。通信モジュール１５２は、送信モジュール１５６及び受信モジュール１５８を含む。充電モジュール１５０は、２つの電源ピンＶｃｃ及びＧＮＤを介してリモートデバイス１０４から受け取った電力を利用して、移動体デバイス１０２の電池１０６を充電する。充電モジュール１５０はまた、２つの電源ピンＶｃｃ及びＧＮＤを介して電池１０６からの電力をリモートデバイス１０４に供給することができる。
【００２８】
一実施形態において、送信モジュール１５６は、ＰＣＩｅプロトコルを使用して２つの送信ピンＴＸ＋及びＴＸ−を介して、データをリモートデバイス１０４へと送信する。そして、受信モジュール１５８は、ＰＣＩｅプロトコルを使用して２つの受信ピンＲＸ＋及びＲＸ−を介して、データをリモートデバイス１０４から受信する。移動体デバイス１０２は、ＰＣＩｅプロトコルを使用して、全二重通信モードで、リモートデバイス１０４とのデータの送受信を行うことができる。
【００２９】
検出モジュール１５４は、２つの電源ピンＶｃｃ及びＧＮＤを検知して、移動体デバイス１０２がリモートデバイス１０４に接続されたかを検出する。検出モジュール１５４は更に、２つの電源ピンＶｃｃ及びＧＮＤを検知して、移動体デバイス１０２の接続がリモートデバイス１０４から解除されたかを検出する。移動体デバイス１０２がリモートデバイス１０４に接続されたか、及び、移動体デバイス１０２の接続がリモートデバイス１０４から解除されたかを検出するのに、更なるピンを使用する必要はない。
【００３０】
図３Ａ及び図３Ｂには、移動体デバイス１０２の送信モジュール１５６及び受信モジュール１５８が詳細に示されている。図３Ａに示すように、送信モジュール１５６は、エンコーダモジュール１６０、パラレル‐シリアル変換モジュール１６２及びドライバモジュール１６４を含む。エンコーダモジュール１６０は、移動体デバイス１０２からリモートデバイス１０４へと送信されるデータを、好適な符号化スキームを用いて符合化する。一例として、エンコーダモジュール１６０は、８ビット‐１０ビットエンコーダを含む。エンコーダモジュール１６０は、符合化されたデータを、パラレル‐シリアル変換モジュール１６２へと出力する。パラレル‐シリアル変換モジュール１６２は、符合化されたデータを、パラレル形式からシリアル形式へと変換する。ドライバモジュール１６４は、２つの送信ピンＴＸ＋及びＴＸ−を駆動する差動ラインドライバを含む。２つの送信ピンＴＸ＋及びＴＸ−は、シリアルデータをリモートデバイス１０４に送信する。
【００３１】
図３Ｂにおいて、受信モジュール１５８は、受信機モジュール１６６、シリアル‐パラレル変換モジュール１６８及びデコーダモジュール１７０を含む。受信機モジュール１６６は、２つの受信ピンＲＸ＋及びＲＸ−を介して、リモートデバイス１０４によって送信されるシリアルデータを受信する。シリアル‐パラレル変換モジュール１６８は、受信したデータをシリアル形式からパラレル形式へと変換する。デコーダモジュール１７０は、受信したデータを復号化する。例えば、デコーダモジュール１７０は、１０ビット‐８ビットデコーダを含んでもよい。
【００３２】
図４Ａ〜４Ｃには、移動体デバイス１０２のコネクタ１１４の例が示されているが、これに限定されない。コネクタ１１４の６つのピンは、図に示されたのとは異なる態様で配置されてもよい。別の配置も考えうる。様々な配置により、異なる利点が考えられる。例えば、製造という観点では、一の配置が他の配置よりも適していると考えられるが、６ピンコネクタ１１４の６つのピンの間のノイズ（例えば、エコー、クロストーク等）を減らすという観点では、別の配置が適している場合がある。
【００３３】
ある実装形態では、６つの導体で構成されている６芯ケーブルを使用して、コネクタ１１４、１１６の６つのピンを介して、移動体デバイス１０２をリモートデバイス１０４に接続することができる。６芯ケーブルは、リモートデバイス１０４のコネクタ１１６と同様な第１の６ピンコネクタ、及び、移動体デバイス１０２のコネクタ１１４と同様な第２の６ピンコネクタという、２つの６ピンコネクタを有することができる。
【００３４】
リモートデバイス１０４のコネクタ１１６と同様な第１の６ピンコネクタを、移動体デバイス１０２のコネクタ１１４に接続することができる。移動体デバイス１０２のコネクタ１１４と同様な第１の６ピンコネクタを、リモートデバイス１０４のコネクタ１１６に接続することができる。ケーブルの長さは、ドライバモジュール１６４及び受信機モジュール１６６の電気的特性、並びに、ケーブルを製造するのに使用された材料の電気的特性によって決まる。
【００３５】
ケーブルを使用して、移動体デバイス１０２がリモートデバイス１０４に接続されると、検出モジュール１５４は、ケーブルが移動体デバイス１０２のコネクタ１１４及びリモートデバイス１０４のコネクタ１１６に差し込まれたかを検出することができる。また、検出モジュール１５４は、ケーブルが移動体デバイス１０２のコネクタ１１４及びリモートデバイス１０４のコネクタ１１６から取り外されているかを検出することができる。
【００３６】
ある実装形態では、リモートデバイス１０４は、コネクタ１１４を介して移動体デバイス１０２に取り付けられるドングル（dongle）を有することができる。ドングルは、コンピュータデバイスに接続されると、コンピュータデバイスで特定の不正コピー防止プログラムを実行させることができるハードウェアデバイスである。このようなハードウェアデバイスがコンピュータデバイスと接続されていない場合には、プログラムはコンピュータデバイス上でディセーブルされる。このようなハードウェデバイスは、ソフトウェアの不正コピー防止に有用である。コネクタ１１４を介してドングルが移動体デバイス１０２に接続されている場合、ドングルは、移動体デバイス１０２の電池１０６から電力の供給を受けることができる。ドングルは、移動体デバイス１０２によって実行されるアプリケーションに更なる機能を提供することができる。
【００３７】
少ない数のピンを有するコネクタ（例えば、図示するような６ピン、又は、上記で説明した４ピン）は、部品の数を減らすことができる、消費電力を低減させることができる、サイズを低減できる等の利点を含め数多くの利点を提供できる。例えば、移動体デバイス１０２の接続及び非接続状態を検出するのに、更なるピンも対応する更なるロジックも必要ないことから、ＰＨＹモジュール１１２の消費電力を低減させることができる。更に、コネクタ１１４を使用することは、移動体デバイス１０２を小型に保つことに役立っている。更に、コネクタ１１４を介してリモートデバイス１０４と通信を行うのにＰＣＩｅプロトコルを使用することによって、移動体デバイス１０２及びリモートデバイス１０４が、既に開発されているその他のＰＣＩｅベースのハードウェア及びソフトウェアを利用可能となる。
【００３８】
上記の説明は、単なる例に過ぎず、本開示の内容、用途又は使用を限定することを意図していない。本開示の幅広い教示を、様々な形式で実装可能である。したがって、本開示は特定の例を含むが、本開示の真の範囲はこれら特定の例に限定されず、図面、明細書及び添付の特許請求の範囲を参照することにより、その他の変形例が明らかとなるであろう。説明を明確にすることを目的として、図面において同様な要素には同じ参照番号が付与されている。本明細書で使用されている、"Ａ、Ｂ及びＣのうちの少なくとも１つ"という表現は、非排他的論理ＯＲを使用して、論理の（Ａ又はＢ又はＣ）という意味に解釈されるべきである。方法の段階は、本開示の原理を変更することなく、異なる順番で実行されてもよいことは明らかである。
【００３９】
また、本明細書で使用されている"モジュール"という言葉は、特定用途向け集積回路（ＡＳＩＣ）、電子回路、組み合わせ論理回路、フィールドプログラマブル・ゲートアレイ（ＦＰＧＡ）、コードを実行する（共有、専用又はグループ）プロセッサ、上記の機能を提供するその他の好適な構成要素、又は、システムオンチップのような、上記の一部又は全ての組み合わせを、又は、これらの一部を意味する。また、モジュール"という言葉は、プロセッサによって実行されるコードを格納する（共有、専用、又は、グループ）メモリを含む場合がある。
【００４０】
上記で使用されている"コード"という言葉は、ソフトウェア、ファームウェア及び／又はマイクロコードを含む場合があり、プログラム、ルーチン、機能、分類及び／又はオブジェクトを意味する場合がある。上記で使用されている"共有"という言葉は、１つの（共有）プロセッサを使用して、複数のモジュールからのコードの一部又は全てを実行可能であることを意味する。更に、複数のモジュールからのコードの一部又は全ては、１つの（共有）メモリに格納されてもよい。上記で使用した"グループ"という言葉は、１つのモジュールからのコードの一部又は全てを、複数のプロセッサからなるグループを使用して実行してもよいことを意味する。更に、１つのモジュールからのコードの一部又は全てを、複数のメモリからなるグループを使用して格納してもよい。
【００４１】
本明細書に記載される装置及び方法は、１以上のプロセッサによって実行される１以上のコンピュータプログラムによって実装されてもよい。コンピュータプログラムは、一時的でない有形コンピュータ可読媒体に格納されるプロセッサ実行可能命令を含む。コンピュータプログラムはまた、格納されたデータを含んでもよい。一時的でない有形コンピュータ可読媒体の非制限的な例として、不揮発性メモリ、磁気記憶装置及び光学記憶装置が挙げられる。
【図１】
2013543609.tif 000003
【図２】
2013543609.tif 000004
【図３Ａ】
2013543609.tif 000005
【図３Ｂ】
2013543609.tif 000006
【図４Ａ】
2013543609.tif 000007
【図４Ｂ】
2013543609.tif 000008
【図４Ｃ】
2013543609.tif 000009
【国際調査報告】
2013543609.tif 000010
2013543609.tif 000011
2013543609.tif 000012